(57)【要約】      （修正有）【課題】複雑な機械的な構造を有さず、鏡の面を容易に拭き取ることができるカバー付き鏡を提供する。【解決手段】一方の面に鏡面４ａを有する板状の鏡４と、鏡面を覆うカバー２と、カバーのうちの鏡面に接する部分の少なくとも一部に設けられた拭取り層６と、を有する。カバーが、鏡を収容する収容部を有するケースであり、拭取り層が、ケースの内面の少なくとも一部に設けられており、ケースが、ケースに収容された鏡のうちの鏡面とは反対側の面の少なくとも一部を外部から押さえることができ、かつ、押さえながら鏡をケースから摺り出すことができるように設けられた切欠部を有していてもよい。【選択図】図３
0003166079.tif 000002
【実用新案登録請求の範囲】
【請求項１】
一方の面に鏡面を有する板状の鏡と、
前記鏡面を覆うカバーと、
前記カバーのうちの前記鏡面に接する部分の少なくとも一部に設けられた拭取り層と、
を有すること、
を特徴とするカバー付き鏡。
【請求項２】
前記鏡と前記カバーとを、互いに面方向に摺動可能に固定する留め具を有すること、
を特徴とする請求項１に記載のカバー付き鏡。
【請求項３】
前記カバーが、前記鏡を収容する収容部を有するケースであり、
前記拭取り層が、前記ケースの内面の少なくとも一部に設けられており、
前記ケースが、前記ケースに収容された前記鏡のうちの前記鏡面とは反対側の面の少なくとも一部を外部から押さえることができ、かつ、押さえながら前記鏡を前記ケースから摺り出すことができるように設けられた切欠部を有していること、
を特徴とする請求項１に記載のカバー付き鏡。
【請求項４】
前記切欠部が、前記ケースに収容された前記鏡のうちの前記鏡面とは反対側の面の中央部にまで延びていること、
を特徴とする請求項３に記載のカバー付き鏡。
【請求項５】
前記拭取り層が鹿革で構成されていること、
を特徴とする請求項１〜４のうちのいずれかに記載のカバー付き鏡。
【考案の詳細な説明】
【技術分野】
【０００１】
本考案は、カバー付き鏡、より具体的には、鏡の拭取り機能を有するカバーと鏡との組合せに関する。
【背景技術】
【０００２】
従来から、女性がカバン等に入れて携帯する鏡としては、板状の鏡やコンパクトケース状の鏡（化粧用コンパクトを含む。）が用いられている。なかでも、板状の鏡は、そのままカバン等に入れると、他の物品とぶつかって破損することがあるため、コンパクトケース状の鏡が用いられるのが一般的である。
【０００３】
例えば特許文献１（特開２００２−２３３４１８号公報）においては、軽量で容易に携帯することができる懐中鏡を提供することを意図して、鏡本体１と、鏡本体１を収納する収納部２を有するケース本体３と、ケース本体３に枢着されて収納部２を開閉自在とされる蓋体４と、から成る懐中鏡が提案されている（特許文献１、図１参照）。
【０００４】
また、特許文献２（特開２００５−２５３７３３号公報）においては、親指でボタンを押すと言うワンタッチ操作で蓋体を開けることができ、その開放が素早く且つスムーズになり、操作が容易であると共に、構造が簡単で組立分解が簡易にできる携帯用鏡の提供を目的として、内面側に鏡面板２１を貼着し基部にヒンジ管２２を設けた蓋体２０と、底板２にヒンジ管２２が嵌る窪み部６と軸杆７を有すると共に、蓋体２０を収納できる凹部４を持つケース体１と、を具備する携帯用鏡が提案されている（特許文献２、図１参照）。
【先行技術文献】
【特許文献】
【０００５】
【特許文献１】特開２００２−２３３４１８号公報
【特許文献２】特開２００５−２５３７３３号公報
【考案の概要】
【考案が解決しようとする課題】
【０００６】
しかしながら、特許文献１及び特許文献２において提案されている懐中鏡及び携帯用鏡は、それぞれ複雑な機械的な構造を有しており、製造コストの観点で改善の余地があり、また、機械的な構造部分や鏡の面が汚れると、拭き取りに手間がかかるという問題があった。
【０００７】
そこで、本考案は、機械的に複雑な構造を有さず、鏡の面を容易に拭き取ることができるカバー付き鏡を提供することを目的とする。
【課題を解決するための手段】
【０００８】
上記のような問題を解決するため、本考案は、
一方の面に鏡面を有する板状の鏡と、
前記鏡面を覆うカバーと、
前記カバーのうちの前記鏡面に接する部分の少なくとも一部に設けられた拭取り層と、
を有すること、
を特徴とするカバー付き鏡を提供する。
【０００９】
本考案のカバー付き鏡は、上記のような構成を有することにより、機械的に複雑な構造を採用せず、使用時に鏡面を外部に露出する操作や、不使用時に鏡面を収納する操作が容易であり、これらの操作と同時に鏡の鏡面の汚れを容易に拭取ることができる。
【００１０】
上記本考案のカバー付き鏡は、前記鏡と前記カバーとを、互いに面方向に摺動可能に固定する留め具を有すること、が好ましい。
【００１１】
このような構成を有することにより、鏡とカバーを常に一対のものとして取り扱うことができ、機械的に複雑な構造を採用せず、使用時に鏡面を外部に露出する操作や、不使用時に鏡面を収納する操作が容易であり、これらの操作と同時に鏡の鏡面の汚れを容易に拭取ることができるという効果がより確実に得られる。
【００１２】
上記本考案のカバー付き鏡は、
前記カバーが、前記鏡を収容する収容部を有するケースであり、
前記拭取り層が、前記ケースの内面の少なくとも一部に設けられており、
前記ケースが、前記ケースに収容された前記鏡のうちの前記鏡面とは反対側の面の少なくとも一部を外部から押さえることができ、かつ、押さえながら前記鏡を前記ケースから摺り出すことができるように設けられた切欠部を有していてもよい。
【００１３】
このような構成を有することにより、鏡とカバーを常に一対のものとして取り扱うことができ、機械的な構造を採用せず、使用時に鏡面を外部に露出する操作や、不使用時に鏡面を収納する操作が容易であり、これらの操作と同時に鏡の鏡面の汚れを容易に拭取ることができるという効果がより確実に得られる。
【００１４】
より具体的には、一方の面に鏡面を有する板状の鏡という簡易な構造の鏡を収容するケースに、鏡の鏡面に接するように拭取り層が設けられており、また、鏡のうちの鏡面とは反対側の面の少なくとも一部を外部から押さえることができ、かつ、押さえながら鏡をケースから摺り出すことができるように、切欠部が設けられていることから、簡易な構造であるにもかかわらず、鏡を取り出す際に同時に鏡面を拭取り層で拭くことができるという顕著な効果を奏する。
【００１５】
上記本考案のカバー付き鏡においては、前記切欠部が、前記ケースに収容された前記鏡のうちの前記鏡面とは反対側の面の中央部にまで延びていること、が好ましい。
【００１６】
このような構成を有することにより、本考案のカバー付き鏡においては、鏡のうちの鏡面とは反対側の面の少なくとも一部を外部からより容易に押さえることができ、かつ、押さえながら鏡をケースからより容易に摺り出すことができ、鏡を取り出す際に同時に鏡面を拭取り層で確実に拭くことができる。
【００１７】
また、本考案のカバー付き鏡においては、前記拭取り層が鹿革で構成されていること、が好ましい。
【００１８】
このような構成を有することにより、本考案のカバー付き鏡においては、鏡を取り出す際に同時に鏡面を拭取り層でより確実に綺麗に拭くことができる。
【００１９】
また、本考案のカバー付き鏡においては、前記カバー（又はケース）が御守を含む構成を有していてもよい。例えば、カバーそのものに御守であることの刺繍を施し、かつ内部に御神体を内蔵することが考えられる。御神体を内蔵することができるように、カバーを収容するための収容部とは別の収容部を設けてもよい。
【考案の効果】
【００２０】
本考案によれば、複雑な機械的な構造を有さず、鏡の面を容易に拭き取ることができるカバー付き鏡を提供することができる。
【図面の簡単な説明】
【００２１】
【図１】本考案のカバー付き鏡の第一実施形態の概略斜視図である。
【図２】図１における第一実施形態のカバー付き鏡の概略側面図である。
【図３】図１に示す第一実施形態のカバー付き鏡の使用方法を説明するための概略図である。
【図４】本考案のカバー付き鏡の第二実施形態の概略斜視図である。
【図５】図４におけるＸ−Ｘ線概略断面図である。
【図６】図４に示す第二実施形態のカバー付き鏡の使用方法を説明するための概略図である。
【図７】図４において矢印Ｚの方向からみたカバー付き鏡の概略平面図である。
【図８】図４〜図７に示す第二実施形態のカバー付き鏡の変形例を示す概略平面図である。
【図９】図４〜図７に示す第二実施形態のカバー付き鏡の別の変形例を示す概略平面図である。
【図１０】図４〜図７に示す第二実施形態のカバー付き鏡の更に別の変形例を示す概略平面図である。
【考案を実施するための形態】
【００２２】
以下、図面を参照しながら本考案のケース付き鏡の代表的な実施形態について詳細に説明する。なお、以下の説明では、同一又は相当部分には同一符号を付し、重複する説明は省略する場合がある。また、各図面は、本考案を概念的に説明するためのものであるから、表された各構成要素の寸法やそれらの比は実際の製品とは異なる場合もある。
【００２３】
［第一実施形態］
図１及び図２に示すように、本考案のカバー付き鏡１は、カバー２と鏡４とで構成されている。鏡４は下部が略矩形で上部が略三角形の形状を有しており、一方の面（第一の面）４ａに鏡面を有している。なお、図１は、本考案のカバー付き鏡の第一実施形態の概略斜視図であり、図２は、図１における第一実施形態のカバー付き鏡の概略側面図である。
【００２４】
鏡４は、板状であればよく、外形は正方形、長方形若しくは台形等の矩形、円形、楕円形又はその他の形状を有していてもよいし、カバー２と相似形であってもよい。また、鏡面４ａ以外の部分については、カバー２と同じ材料か、又は、ガラス若しくは金属等の従来公知の種々の材料によって構成されていてよい。
【００２５】
本実施形態におけるカバー２は、図１及び図２に示すように、鏡４と略同じ形状を有していればよく、留め具８によって、鏡４とカバー２とが互いに面方向に摺動可能に固定されている。即ち、鏡４とカバー２とは、留め具８の軸方向において、互いに面方向に摺動しながら回動可能に固定されている。かかる留め具８としては、ピンやネジ等、種々の部材を使用可能である。
【００２６】
また、カバー２のうちの鏡４の鏡面４ａに接する面には、図２に示すように、拭取り層６が設けられている。拭取り層６が例えば接着又は縫製等の公知の方法でカバー２に設けられている。
【００２７】
この拭取り層６は、鏡４の鏡面４ａ上を摺動することができ、鏡面４ａの汚れを取り除くことができるものであれば、従来公知の種々の材料を用いることができる。例えば、タオル地、パイル地、布、織布又は不織布等を用いることができる。なかでも、より綺麗に鏡面４ａを拭取ることができるという観点から、鹿革で構成されているのが好ましい。
【００２８】
次に、上記のような本実施形態のカバー付き鏡１の使用方法について、図３を参照しながら簡単に説明する。図３は、図１に示す第一実施形態のカバー付き鏡の使用方法を説明するための概略図である。図３の（ａ）と（ｂ）とは見ている方向が異なるだけである。
【００２９】
図１及び図２に示すような鏡面４ａがカバー２で覆われた状態から、ユーザーは、例えば、カバー２の外面（鏡４側とは反対側の面）と鏡４の外面（カバー２側とは反対側の面）とを、それぞれ親指及び人差し指１０で押さえながら、留め具８を中心に互いに摺動させながら回動させて矢印Ａの方向にずらす。また、収納する場合には、矢印Ａとは反対の方向にカバー２と鏡４とを動かす。
【００３０】
留め具８があることにより、このように、鏡４とカバー２を常に一対のものとして取り扱うことができ、機械的に複雑な構造を採用せず、使用時に鏡面４ａを外部に露出する操作や、不使用時に鏡面４ａを収納する操作が容易であり、これらの操作と同時に鏡４の鏡面４ａの汚れを容易に拭取ることができる。
【００３１】
以上のように、本実施形態のカバー付き鏡１においては、上記のような構成を有することにより、複雑な機械的な構造を採用せず、鏡４の容易な収容及び取出しが可能であり、かつ、鏡４の鏡面４ａの汚れを鏡４の取出しと同時に容易に拭取ることができる。
【００３２】
［第二実施形態］
次に、本考案のカバーつき鏡の第二実施形態について説明する。
図４及び図５に示すように、本実施形態のカバー付き鏡１０は、ケース状カバー１２と鏡１４とで構成されている。鏡１４は略矩形の板状であり、一方の面（第一の面）１４ａに鏡面を有し、他方の面（第二の面）１４ｂの一部が外部に開放された状態でケース状カバー１２に収容されている。なお、図４は、本実施形態のカバー付き鏡１０の概略斜視図であり、図５は、図２におけるＸ−Ｘ線概略断面図である。
【００３３】
鏡１４は、板状であればよく、外形は正方形、長方形若しくは台形等の矩形、円形、楕円形又はその他の形状を有していてもよい。また、鏡面１４ａ以外の部分については、樹脂、ガラス又は金属等の従来公知の種々の材料によって構成されていてよい。
【００３４】
本実施形態におけるケース状カバー１２は、図４及び図５に示すように、例えば略矩形の布、織布又は不織布等を折り畳んで両端を接着又は縫製等により閉じ、一辺のみにおいて開口を有する収容部１２ｂを有している。
【００３５】
また、ケース状カバー１２に収容された鏡１４のうちの鏡面１４ａとは反対側の面１４ｂの少なくとも一部を外部から押さえることができ、かつ、押さえながら鏡１４をケース状カバー１２から摺り出すことができるように、切欠部１２ａが設けられている。図４における切欠部１２ａは、略半円状である（図４参照）。
【００３６】
更に、ケース状カバー１２の内部には、鏡１４の鏡面１４ａに接するように拭取り層１６が設けられている。具体的には、図４及び図５に示すように、ケース状カバー１２の２つの内面のうちの一方の前面に、拭取り層１６が例えば接着又は縫製等によって固定されている。
【００３７】
この拭取り層１６は、鏡１４の鏡面１４ａ上を摺動することができ、鏡面１４ａの汚れを取り除くことができるものであれば、従来公知の種々の材料を用いることができる。例えば、タオル地、パイル地、布、織布又は不織布等を用いることができる。なかでも、より綺麗に鏡面１４ａを拭取ることができるという観点から、鹿革で構成されているのが好ましい。
【００３８】
次に、上記のような本実施形態のカバー付き鏡１０の使用方法について、図６を参照しながら、説明する。図６は、図４に示す本実施形態のカバー付き鏡の使用方法を説明するための概略図である。
【００３９】
まず、図６の（ａ）に示すように、ケース状カバー１２に収容された鏡１４の外部に露出した面（第二の面）１４ｂを、ケース状カバー１２に設けられた切欠部１２ａの部分で、親指１８で押さえ、ケース状カバー１２の下面を人差し指２０で押さえながら、カバー付き鏡１０を保持する。
【００４０】
この状態で、親指１８を矢印Ｙの方向にずらし、図６の（ｂ）に示すように、鏡１４をケース状カバー１２内の拭取り層１６上を摺動させながら、外部に取り出す。これにより、鏡１４の鏡面１４ａは綺麗に拭かれながら外部に取り出されることになる。
【００４１】
以上のように、本実施形態のカバー付き鏡１０においては、上記のような構成を有することにより、機械的な構造を採用せず、鏡１４の容易な収容及び取出しが可能であり、かつ、鏡１４の鏡面１４ａの汚れを鏡１４の取出しと同時に容易に拭取ることができる。
【００４２】
以上、本考案の代表的な実施形態について説明したが、本考案は、本考案の技術的思想の範囲内で適宜の設計変更が可能である。例えば、上記第二実施形態においては、ケース状カバー１２の切欠部１２ａが図７に示すような形状の場合について説明したが、他の形状であってもよい。なお、図７は、図４において矢印Ｚの方向からみたカバー付き鏡の概略平面図である。
【００４３】
上記第二実施形態において、ケース状カバー１２の切欠部１２ａは、例えば、図８〜図１０に示すような切欠部１２ａ１、１２ａ２又は１２ａ３のいずれかのような形状であってもよい。図８〜図１０は、それぞれ図４〜図７に示す第二実施形態のカバー付き鏡の変形例を示す概略平面図である。
【００４４】
図８に示す変形例における切欠部１２ａ１は、矩形の形状を有しており、鏡１４の第二の面１４ｂの中央部まで延びている。また、図９に示す変形例における切欠部１２ａ２は、三角形の形状を有しており、これも鏡１４の第二の面１４ｂの中央部まで延びている。更に、図１０に示す変形例における切欠部１２ａ３は、放物線状に切り欠かれた形状を有しており、これも鏡１４の第二の面１４ｂの中央部まで延びている。
【００４５】
これらのように、切欠部１２ａ１、１２ａ２又は１２ａ３が鏡４の第二の面１４ｂの中央部まで延びていると、鏡１４のうちの鏡面１４ａとは反対側の面１４ｂを外部からより容易に押さえることができ、かつ、押さえながら鏡１４をケース状カバー１２からより容易に摺り出すことができ、鏡１４を取り出すと同時に鏡面１４ａを拭取り層１６で確実に拭くことができる。
【００４６】
また、上記実施形態のカバー付き鏡においては、前記カバー（又はケース）が御守を含む構成を有していてもよい。例えば、カバーそのものに御守であることの刺繍を施し、かつ内部に御神体を内蔵することが考えられる。御神体を内蔵することができるように、カバーを収容するための収容部とは別の収容部を設けてもよい。
【００４７】
以上、本考案の代表的な実施形態について説明したが、本考案がこれらのみに限定されるものではなく、実用新案登録請求の範囲に記載のとおり、一方の面に鏡面を有する板状の鏡と、前記鏡面を覆うカバーと、前記カバーのうちの前記鏡面に接する部分の少なくとも一部に設けられた拭取り層と、を有する限りにおいて、設計変更した種々の実施形態のカバー付き鏡も本考案に含まれる。
【符号の説明】
【００４８】
１、１０・・・ケース付き鏡、
２、１２・・・ケース、
２ａ、２ａ１、２ａ２又は２ａ３・・・切欠部、
４、１４・・・鏡、
４ａ、１４ａ・・・鏡面、
６、１６・・・拭取り層、
８・・・親指、
１０・・・人差し指。
【図１】
0003166079.tif 000003
【図２】
0003166079.tif 000004
【図３】
0003166079.tif 000005
【図４】
0003166079.tif 000006
【図５】
0003166079.tif 000007
【図６】
0003166079.tif 000008
【図７】
0003166079.tif 000009
【図８】
0003166079.tif 000010
【図９】
0003166079.tif 000011
【図１０】
0003166079.tif 000012